(57)【要約】  受信部（１０１）は、サイマル放送によって異なる放送形式のコンテンツを受信する。切替部（１０２）は、受信された異なる放送形式のコンテンツについて、再生対象となる放送形式を第１の放送形式から第１の放送形式とは異なる第２の放送形式に切り替える。また、検出部（１０３）は、受信されたコンテンツのうち、第１の放送形式のコンテンツに関連づけられた第１の再生時刻と、第２の放送形式のコンテンツに関連づけられた第２の再生時刻との時間差を検出する。制御部（１０４）は、検出された時間差に応じて、切替時に、第１の再生時刻と、第２の再生時刻とが同一の時刻となるように、第１の放送形式のコンテンツの再生速度を制御する。そして、再生部（１０５）は、切替時まで、制御に応じて第１の放送形式のコンテンツを再生し、切替時以降、第２の放送形式のコンテンツを再生する。
2008117448.tif 000002
【特許請求の範囲】
【請求項１】
サイマル放送によって配信される異なる再生時刻が関連づけられた異なる放送形式のコンテンツを切替可能に再生する再生装置において、
前記サイマル放送によって異なる放送形式のコンテンツを受信する受信手段と、
前記受信手段によって受信された異なる放送形式のコンテンツについて、再生対象となる放送形式を第１の放送形式から当該第１の放送形式とは異なる第２の放送形式に切り替える切替手段と、
前記受信手段によって受信されたコンテンツのうち、前記第１の放送形式のコンテンツに関連づけられた第１の再生時刻と、前記第２の放送形式のコンテンツに関連づけられた第２の再生時刻との時間差を検出する検出手段と、
前記検出手段によって検出された時間差に応じて、前記切替手段による切替時に、前記第１の再生時刻と、前記第２の再生時刻とが同一の時刻となるように、当該第１の放送形式のコンテンツの再生速度を制御する制御手段と、
前記切替時まで、前記制御手段による制御に応じて前記第１の放送形式のコンテンツを再生し、当該切替時以降、前記第２の放送形式のコンテンツを再生する再生手段と、
を備えることを特徴とする再生装置。
【請求項２】
前記第１の再生時刻は、前記第２の再生時刻よりも早い時刻であり、
前記制御手段は、前記再生速度を制御する再生速度制御時間を用いて、当該再生速度制御時間内に前記第１の再生時刻と、前記第２の再生時刻とが同一の時刻となるよう前記第１の放送形式のコンテンツの再生速度を制御することを特徴とする請求項１に記載の再生装置。
【請求項３】
前記制御手段は、前記時間差に応じて設定される前記再生速度制御時間を用いて、前記第１の再生時刻と、前記第２の再生時刻とが同一の時刻となるよう前記第１の放送形式のコンテンツの再生速度を制御することを特徴とする請求項２に記載の再生装置。
【請求項４】
前記制御手段は、前記第１の放送形式のコンテンツの映像および音声を引き延ばし再生させることによって再生速度を制御することを特徴とする請求項１に記載の再生装置。
【請求項５】
前記制御手段は、前記第１の放送形式のコンテンツのうち、音声情報のない映像部分を引き延ばすことによって再生速度を制御することを特徴とする請求項１に記載の再生装置。
【請求項６】
前記検出手段は、前記第１の放送形式のコンテンツの音声情報と、前記第２の放送形式のコンテンツの音声情報とから抽出される同一の音声情報に基づいて、前記時間差を検出することを特徴とする請求項１に記載の再生装置。
【請求項７】
前記コンテンツの再生指示の入力を受け付ける入力手段を備え、
前記受信手段は、前記入力手段によって入力された再生指示に応じた前記コンテンツを、前記サイマル放送による異なる放送形式で受信し、
前記検出手段は、前記受信手段によって受信されたコンテンツのうち、前記第１の放送形式のコンテンツに関連づけられた第１の再生時刻と、当該第１の放送形式のコンテンツとは異なる第２の放送形式のコンテンツに関連づけられた第２の再生時刻との時間差を検出し、
前記制御手段は、前記検出手段によって検出された時間差に応じて、前記切替手段による切替時に、前記第１の再生時刻と、前記第２の再生時刻とが同一の時刻となるように、当該第１の放送形式のコンテンツの再生速度を制御し、
前記再生手段は、前記切替時まで、前記制御手段による制御に応じて前記第１の放送形式のコンテンツを再生し、当該切替時以降、前記切替手段による切り替えに応じて前記第２の放送形式のコンテンツを再生することを特徴とする請求項１に記載の再生装置。
【請求項８】
前記入力手段は、前記コンテンツの選局がおこなわれる際に、前記コンテンツの再生指示の入力を受け付けることを特徴とする請求項７に記載の再生装置。
【請求項９】
前記入力手段は、電源がＯＮされた場合に、前記コンテンツの再生指示の入力を受け付けることを特徴とする請求項７に記載の再生装置。
【請求項１０】
前記入力手段は、前記サイマル放送が開始された場合に、前記コンテンツの再生指示の入力を受け付けることを特徴とする請求項７に記載の再生装置。
【請求項１１】
前記受信手段は、前記サイマル放送によって、地上ディジタルテレビジョン放送において異なるセグメントからなる少なくとも２つの放送形式のコンテンツを受信することを特徴とする請求項１に記載の再生装置。
【請求項１２】
前記受信手段は、前記サイマル放送によって、１２セグメントが割り当てられた高精細度テレビジョン放送と、１セグメントが割り当てられた携帯電話・移動体端末向けの１セグメント部分受信サービスとによる放送形式のコンテンツを受信することを特徴とする請求項１１に記載の再生装置。
【請求項１３】
サイマル放送によって配信される異なる再生時刻が関連づけられた異なる放送形式のコンテンツを切替可能に再生する再生方法において、
前記サイマル放送によって異なる放送形式のコンテンツを受信する受信工程と、
前記受信工程によって受信されたコンテンツのうち、第１の放送形式のコンテンツに関連づけられた第１の再生時刻と、第２の放送形式のコンテンツに関連づけられた第２の再生時刻との時間差を検出する検出工程と、
前記検出工程によって検出された時間差に応じて、再生対象となる放送形式を第１の放送形式から当該第１の放送形式とは異なる第２の放送形式に切り替える切替時に、前記第１の再生時刻と、前記第２の再生時刻とが同一の時刻となるように、当該第１の放送形式のコンテンツの再生速度を制御する制御工程と、
前記切替時まで、前記制御工程による制御に応じて前記第１の放送形式のコンテンツを再生し、当該切替時以降、前記第２の放送形式のコンテンツを再生する再生工程と、
を含むことを特徴とする再生方法。
【請求項１４】
請求項１３に記載の再生方法をコンピュータに実行させることを特徴とする再生プログラム。
【請求項１５】
請求項１４に記載の再生プログラムを記録したことを特徴とするコンピュータに読み取り可能な記録媒体。
【発明の詳細な説明】
【技術分野】
【０００１】
この発明は、コンテンツを再生する再生装置、再生方法、再生プログラムおよびコンピュータに読み取り可能な記録媒体に関する。ただし、この発明の利用は、上述した再生装置、再生方法、再生プログラムおよびコンピュータに読み取り可能な記録媒体には限られない。
【背景技術】
【０００２】
従来より、地上ディジタルテレビジョン放送では、１つのチャンネルが１３のセグメントに分かれた構造となっており、異なるセグメントを利用した同一コンテンツのサイマル放送がおこなわれている。【０００３】
具体的には、たとえば、異なるセグメントを利用したサイマル放送は、１２セグメントが割り当てられた高精細度テレビジョン放送（ハイビジョン放送：以下、「ＨＤＴＶ」という）と、１セグメントが割り当てられた携帯電話・移動体端末向けの１セグメント部分受信サービス（以下、「ワンセグ」という）とによって同一コンテンツを放送している。【０００４】
一般的に、ＨＤＴＶによるコンテンツは、高品質となるものの伝送路による受信状態への影響を受けやすい。一方、ワンセグによるコンテンツは、低品質となるものの伝送路による受信状態への影響は受けにくい。したがって、サイマル放送によってコンテンツを受信する場合、再生する再生機器の受信状態に応じて放送形式を切り替えることで、同一コンテンツを継続して再生することができる。【０００５】
ところで、一般にＨＤＴＶと、ワンセグとでは、時間インターリブが異なっているような運用がされているなどの理由により、再生機器によって放送形式を切り替えて受信・再生する場合、同一コンテンツであってもワンセグ放送の方が遅れて再生されることとなる。すなわち、再生機器によって、ＨＤＴＶと、ワンセグとを切り替えて受信・再生する場合、同一コンテンツであっても、切替時の映像や音声が時間的に不連続となるため、利用者に違和感を与えることとなる。【０００６】
近年では、アナログ放送およびディジタル放送による同一番組のサイマル放送を切り替える際、番組を切れ目なく切り替えるために、アナログ放送と、ディジタル放送との再生出力の時間差を検出し、検出された時間差分アナログ放送を遅延させる提案がされている（たとえば、下記特許文献１参照。）。【０００７】
【特許文献１】特開２００６−２７０８２４号公報
【発明の開示】
【発明が解決しようとする課題】
【０００８】
しかしながら、上述した従来技術では、検出された時間差分だけ、早く放送される放送を遅延させて出力する構成であるため、早く放送される放送を切り替える必要がない場合でも、出力するまでに時間がかかってしまい利便性を損なうという問題が一例として挙げられる。【０００９】
特に、ＨＤＴＶおよびワンセグによるサイマル放送の場合、ＨＤＴＶを受信して直ちに再生出力することができる場合でも、ＨＤＴＶと、ワンセグとの時間差分だけ遅延させることとなってしまうという問題が一例として挙げられる。すなわち、高品質なＨＤＴＶが再生できる受信状態であっても、低品質なワンセグへの切り替えを想定して、ＨＤＴＶと、ワンセグとの時間差分だけＨＤＴＶを遅延させるため、ＨＤＴＶによるコンテンツの再生出力まで無駄に時間を費やしてしまうこととなる。
【課題を解決するための手段】
【００１０】
上述した課題を解決し、目的を達成するため、請求項１の発明にかかる再生装置は、サイマル放送によって配信される異なる再生時刻が関連づけられた異なる放送形式のコンテンツを切替可能に再生する再生装置において、前記サイマル放送によって異なる放送形式のコンテンツを受信する受信手段と、前記受信手段によって受信された異なる放送形式のコンテンツについて、再生対象となる放送形式を第１の放送形式から当該第１の放送形式とは異なる第２の放送形式に切り替える切替手段と、前記受信手段によって受信されたコンテンツのうち、前記第１の放送形式のコンテンツに関連づけられた第１の再生時刻と、前記第２の放送形式のコンテンツに関連づけられた第２の再生時刻との時間差を検出する検出手段と、前記検出手段によって検出された時間差に応じて、前記切替手段による切替時に、前記第１の再生時刻と、前記第２の再生時刻とが同一の時刻となるように、当該第１の放送形式のコンテンツの再生速度を制御する制御手段と、前記切替時まで、前記制御手段による制御に応じて前記第１の放送形式のコンテンツを再生し、当該切替時以降、前記第２の放送形式のコンテンツを再生する再生手段と、を備えることを特徴とする。【００１１】
また、請求項１３の発明にかかる再生方法は、サイマル放送によって配信される異なる再生時刻が関連づけられた異なる放送形式のコンテンツを切替可能に再生する再生方法において、前記サイマル放送によって異なる放送形式のコンテンツを受信する受信工程と、前記受信工程によって受信されたコンテンツのうち、第１の放送形式のコンテンツに関連づけられた第１の再生時刻と、第２の放送形式のコンテンツに関連づけられた第２の再生時刻との時間差を検出する検出工程と、前記検出工程によって検出された時間差に応じて、再生対象となる放送形式を第１の放送形式から当該第１の放送形式とは異なる第２の放送形式に切り替える切替時に、前記第１の再生時刻と、前記第２の再生時刻とが同一の時刻となるように、当該第１の放送形式のコンテンツの再生速度を制御する制御工程と、前記切替時まで、前記制御工程による制御に応じて前記第１の放送形式のコンテンツを再生し、当該切替時以降、前記第２の放送形式のコンテンツを再生する再生工程と、を含むことを特徴とする。【００１２】
また、請求項１４の発明にかかる再生プログラムは、請求項１３に記載の再生方法をコンピュータに実行させることを特徴とする。【００１３】
また、請求項１５の発明にかかるコンピュータに読み取り可能な記録媒体は、請求項１４に記載の再生プログラムを記録したことを特徴とする。
【図面の簡単な説明】
【００１４】
【図１】図１は、本実施の形態にかかる再生装置の機能的構成の一例を示すブロック図である。
【図２】図２は、本実施の形態にかかる再生装置の処理の内容を示すフローチャートである。
【図３】図３は、本実施例にかかるナビゲーション装置のハードウェア構成の一例を示すブロック図である。
【図４】図４は、本実施例にかかるナビゲーション装置が搭載された車両内部の一例を示す説明図である。
【図５】図５は、本実施例にかかるナビゲーション装置の機能的構成の一例を示すブロック図である。
【図６】図６は、本実施例にかかるナビゲーション装置における映像音声出力の概要を示す説明図である。
【図７】図７は、本実施例にかかるナビゲーション装置の処理の内容を示すフローチャートである。
【符号の説明】
【００１５】
１００  再生装置
１０１  受信部
１０２  切替部
１０３  検出部
１０４  制御部
１０５  再生部
１０６  入力部
【発明を実施するための最良の形態】
【００１６】
以下に添付図面を参照して、この発明にかかる再生装置、再生方法、再生プログラムおよびコンピュータに読み取り可能な記録媒体の好適な実施の形態を詳細に説明する。【００１７】
（実施の形態）
（再生装置の機能的構成）
まず、図１を用いて、本実施の形態にかかる再生装置の機能的構成について説明する。図１は、本実施の形態にかかる再生装置の機能的構成の一例を示すブロック図である。【００１８】
図１において、サイマル放送によって配信される異なる再生時刻が関連づけられた異なる放送形式のコンテンツを切替可能に再生する再生装置１００は、受信部１０１と、切替部１０２と、検出部１０３と、制御部１０４と、再生部１０５と、入力部１０６と、から構成されている。【００１９】
受信部１０１は、サイマル放送によって異なる放送形式のコンテンツを受信する。具体的には、たとえば、受信部１０１は、後述する入力部１０６によって入力される再生指示に応じたコンテンツを、サイマル放送による異なる放送形式で受信する。【００２０】
より具体的には、たとえば、受信部１０１は、サイマル放送によって地上ディジタルテレビジョン放送において異なるセグメントからなる少なくとも２つの放送形式のコンテンツを受信する。【００２１】
異なるセグメントからなる放送形式は、たとえば、１３セグメントからなる地上テレビジョン放送のうち、１２セグメントが割り当てられた高精細度テレビジョン放送（ＨＤＴＶ）と、１セグメントが割り当てられた携帯電話・移動体端末向けの１セグメント部分受信サービス（ワンセグ）とによる放送形式などである。【００２２】
切替部１０２は、受信部１０１によって受信された異なる放送形式のコンテンツについて、再生対象となる放送形式を第１の放送形式から、第１の放送形式とは異なる第２の放送形式に切り替える。【００２３】
具体的には、たとえば、切替部１０２は、受信部１０１によって受信されたＨＤＴＶおよびワンセグのコンテンツについて、後述する再生部１０５によって再生するコンテンツの放送形式をＨＤＴＶからワンセグに切り替える。放送形式の切替は、たとえば、利用者からの入力を受け付けたり、ＨＤＴＶの受信状態の変化に応じておこなうこととしてもよい。【００２４】
検出部１０３は、受信部１０１によって受信されたコンテンツのうち、第１の放送形式のコンテンツに関連づけられた第１の再生時刻と、第２の放送形式のコンテンツに関連づけられた第２の再生時刻との時間差を検出する。【００２５】
具体的には、たとえば、第１の再生時刻は、第２の再生時刻よりも早い時刻であり、検出部１０３は、第１の放送形式のコンテンツの音声情報と、第２の放送形式のコンテンツの音声情報とから抽出される同一の音声情報に基づいて、時間差を検出する構成でもよい。または第１の放送形式のコンテンツの映像情報と、第２の放送形式のコンテンツの映像情報とから抽出される映像情報から相関性の解析をおこない、時間差を検出する構成でもよい。【００２６】
制御部１０４は、検出部１０３によって検出された時間差に応じて、切替部１０２による切替時に、第１の再生時刻と、第２の再生時刻とが同一の時刻となるように、第１の放送形式のコンテンツの再生速度を制御する。具体的には、たとえば、制御部１０４は、再生速度を制御する再生速度制御時間を用いて、当該再生速度制御時間内に第１の再生時刻と、第２の再生時刻とが同一の時刻となるよう第１の放送形式のコンテンツの再生速度を制御する。【００２７】
再生速度制御時間は、たとえば、あらかじめ設定されていてもよい。また、再生速度制御時間は、たとえば、検出部１０３によって検出された時間差に応じて設定されることとしてもよい。【００２８】
そして、この再生速度制御時間の間に、第１の再生時刻と、第２の再生時刻とが同一の時刻となるよう第１の放送形式のコンテンツの再生速度を制御することとなる。再生速度制御時間は、たとえば、第１の放送形式のコンテンツの再生速度について、利用者に違和感を与えない程度であることが望ましい。【００２９】
制御部１０４は、たとえば、第１の放送形式のコンテンツの映像および音声を引き延ばし再生させることによって再生速度を制御することとしてもよい。また、制御部１０４は、たとえば、第１の放送形式のコンテンツのうち、音声情報のない映像部分を引き延ばすことによって再生速度を制御することとしてもよい。【００３０】
再生部１０５は、切替時まで、制御部１０４による制御に応じて第１の放送形式のコンテンツを再生し、切替時以降、第２の放送形式のコンテンツを再生する。【００３１】
入力部１０６は、コンテンツの再生指示の入力を受け付ける。具体的には、たとえば、入力部１０６は、コンテンツの選局がおこなわれる際に、コンテンツの再生指示の入力を受け付けることとしてもよい。【００３２】
また、入力部１０６は、たとえば、電源がＯＮされた場合に、コンテンツの再生指示の入力を受け付けることとしてもよい。また、入力部１０６は、たとえば、サイマル放送が開始された場合に、コンテンツの再生指示の入力を受け付ける構成でもよい。【００３３】
（再生装置の処理の内容）
つぎに、図２を用いて、本実施の形態にかかる再生装置１００の処理の内容について説明する。図２は、本実施の形態にかかる再生装置の処理の内容を示すフローチャートである。図２のフローチャートにおいて、まず、受信部１０１によって、異なる放送形式のコンテンツを受信したか否かを判断する（ステップＳ２０１）。具体的には、たとえば、受信部１０１は、サイマル放送によって第１の放送形式と、第１の放送形式とは異なる第２の放送形式とによるコンテンツを受信する。【００３４】
ステップＳ２０１において、異なる放送形式のコンテンツを受信するのを待って、受信した場合（ステップＳ２０１：Ｙｅｓ）は、検出部１０３によって、ステップＳ２０１において受信された異なる放送形式のコンテンツの再生時刻の時間差を検出する（ステップＳ２０２）。具体的には、たとえば、検出部１０３は、ステップＳ２０１において受信されたコンテンツのうち、第１の放送形式のコンテンツに関連づけられた第１の再生時刻と、第２の放送形式のコンテンツに関連づけられた第２の再生時刻との時間差を検出する。【００３５】
つぎに、制御部１０４によって、ステップＳ２０２において検出された時間差に応じて、切替部１０２による切替時に、第１の再生時刻と、第２の再生時刻とが同一の時刻となるように、第１の放送形式のコンテンツの再生速度を制御する（ステップＳ２０３）。具体的には、たとえば、制御部１０４は、再生速度を制御する再生速度制御時間を用いて、第１の再生時刻と、第２の再生時刻とが同一の時刻となるよう第１の放送形式のコンテンツの再生速度を制御する。【００３６】
そして、再生部１０５によって、ステップＳ２０３における制御にしたがってコンテンツを再生し（ステップＳ２０４）、一連の処理を終了する。具体的には、たとえば、コンテンツの再生は、切替時まで、制御部１０４による制御に応じて第１の放送形式のコンテンツを再生し、切替時以降、第２の放送形式のコンテンツを再生する構成である。【００３７】
なお、本発明の再生装置、再生方法、再生プログラムおよびコンピュータに読み取り可能な記録媒体は、図１に示した再生装置１００によって、その機能を実現することとしたが、再生装置１００に限ることはなく、図１に示す機能部を備える構成とすれば、複数の装置であってもよい。各機能部を異なる装置として接続する場合、装置間の接続は、たとえば、有線、無線を問わず、Ｂｌｕｅｔｏｏｔｈ（登録商標）などによって通信をおこなって接続することとしてもよい。【００３８】
以上説明したように、本実施の形態にかかる再生装置、再生方法、再生プログラムおよびコンピュータに読み取り可能な記録媒体によれば、コンテンツを再生しながら再生時刻が同一となるように再生速度を制御して、放送形式の切替時におけるサイマル放送の時間差を利用者に意識させずにコンテンツの連続性を維持することができ、最適なコンテンツの提供を図ることができる。
【実施例】
【００３９】
以下に、本発明の実施例について説明する。本実施例では、たとえば、車両（四輪車、二輪車を含む）などの移動体に搭載されるナビゲーション装置によって、本発明の再生装置を実施した場合の一例について説明する。【００４０】
（ナビゲーション装置のハードウェア構成）
つぎに、図３を用いて、本実施例にかかるナビゲーション装置のハードウェア構成について説明する。図３は、本実施例にかかるナビゲーション装置のハードウェア構成の一例を示すブロック図である。【００４１】
図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、受信部３１３と、ＧＰＳユニット３１４と、各種センサ３１５と、を備えている。また、各構成部３０１〜３１５はバス３２０によってそれぞれ接続されている。【００４２】
まず、ＣＰＵ３０１は、ナビゲーション装置３００の全体の制御を司る。ＲＯＭ３０２は、ブートプログラム、現在地点算出プログラム、経路探索プログラム、経路誘導プログラム、音声出力プログラム、表示制御プログラムなどの各種プログラムを記録している。また、ＲＡＭ３０３は、ＣＰＵ３０１のワークエリアとして使用される。【００４３】
現在地点算出プログラムは、たとえば、後述するＧＰＳユニット３１４および各種センサ３１５の出力情報に基づいて、車両の現在地点（ナビゲーション装置３００の現在地点）を算出させる。【００４４】
経路探索プログラムは、後述する磁気ディスク３０５に記録されている地図情報や走行履歴情報などを利用して、出発地点から目的地点までの最適な経路を探索させる。【００４５】
経路誘導プログラムは、経路探索プログラムを実行することによって探索された誘導経路情報、現在地点算出プログラムを実行することによって算出された車両の現在地点情報、後述する磁気ディスク３０５から読み出された地図情報に基づいて、経路誘導情報の生成をおこなわせる。【００４６】
音声出力プログラムは、コンテンツに含まれる音声情報を出力させる。具体的には、たとえば、音声情報は、ＣＰＵ３０１を介して音声Ｉ／Ｆ３０８へ出力される。また、表示制御プログラムは、映像Ｉ／Ｆ３１１によってディスプレイ３１２に表示するコンテンツの表示形式を決定させ、決定された表示形式によってコンテンツをディスプレイ３１２に表示させる。【００４７】
磁気ディスクドライブ３０４および光ディスクドライブ３０６は、ＣＰＵ３０１の制御にしたがって磁気ディスク３０５および光ディスク３０７に対するデータの読み取り／書き込みを制御する。磁気ディスク３０５および光ディスク３０７に記録される情報の一例として、経路探索・経路誘導などに用いる地図情報が挙げられる。【００４８】
音声Ｉ／Ｆ３０８は、音声出力用のスピーカ３０９に接続され、スピーカ３０９からは音声が出力される。【００４９】
入力デバイス３１０は、文字、数値、各種指示などの入力のための複数のキーを備えたリモコン、キーボード、マウス、タッチパネルなどが挙げられる。【００５０】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。【００５１】
ディスプレイ３１２には、アイコン、カーソル、メニュー、ウインドウ、あるいは文字や画像などの各種データが表示される。このディスプレイ３１２は、たとえば、ＣＲＴ、ＴＦＴ液晶ディスプレイ、プラズマディスプレイなどを採用することができる。【００５２】
受信部３１３は、たとえば、地上波ディジタルテレビジョン放送（たとえば、ＨＤＴＶやワンセグ）やアナログテレビジョン放送やＦＭラジオなどを受信可能なチューナーなどによって構成され、放送波を受信する。【００５３】
また、受信部３１３は、無線を介してネットワークと接続される構成でもよく、ＬＡＮ、ＷＡＮ、公衆回線網や携帯電話網などの通信網を介して映像や音声を受信する構成でもよい。【００５４】
ＧＰＳユニット３１４は、ＧＰＳ衛星からの電波を受信し、車両の現在地点を示す情報を出力する。各種センサ３１５は、車速センサや加速度センサ、角速度センサなどを含み、車両の位置や挙動を判断することが可能な情報を出力する。【００５５】
なお、本実施例では、車両に搭載されたナビゲーション装置３００による例について説明するが、利用者の携帯端末や、移動型通信端末などによって本発明の再生装置を実施するようにしてもよい。【００５６】
なお、図１に示した再生装置１００が備える受信部１０１、切替部１０２、検出部１０３、制御部１０４、再生部１０５、入力部１０６は図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００５７】
すなわち、本実施例のナビゲーション装置３００は、ナビゲーション装置３００における記録媒体としてのＲＯＭ３０２に記録されているプログラムを実行することにより、図１に示した再生装置１００が備える機能を、図２に示した手順で実行することができる。【００５８】
（ナビゲーション装置３００の設置概要）
つぎに、図４を用いて、本実施例にかかるナビゲーション装置３００が搭載された車両内部について説明する。図４は、本実施例にかかるナビゲーション装置が搭載された車両内部の一例を示す説明図である。【００５９】
図４において、車両内部は、運転席シート４１１と、助手席シート４１２と、後部座席シート４１３と、を有しており、運転席シート４１１と助手席シート４１２との周囲には、表示装置（ディスプレイ３１２）４２１ａおよび音響装置（スピーカ３０９）４２２ならびに情報再生機器４２３ａが設けられている。【００６０】
また、助手席シート４１２には、後部座席シート４１３の搭乗者に向けて、表示装置４２１ｂおよび情報再生機器４２３ｂが設けられており、後部座席シート４１３の後方には図示しない音響装置が設けられている。なお、各情報再生機器４２３（４２３ａ，４２３ｂ）は、車両に対して着脱可能な構造を備えていてもよい。【００６１】
（ナビゲーション装置３００の機能的構成）
つぎに、図５用いて、本実施例にかかるナビゲーション装置３００の機能的構成について説明する。図５は、本実施例にかかるナビゲーション装置の機能的構成の一例を示すブロック図である。【００６２】
図５において、ナビゲーション装置３００は、ＴＳ（トランスポートストリーム）分離部５０１と、ＨＤＴＶデコーダ５０２と、ワンセグデコーダ５０３と、映像選択部５０４と、映像出力マネージャ５０５と、音声選択部５０６と、音声出力マネージャ５０７と、サイマル判定部５０８と、ＨＤＴＶ−ワンセグオフセット検出部５０９と、ＰＴＳ（プレゼンテーションタイムスタンプ）コントローラ部５１０と、切替コントローラ部５１１と、から構成されている。【００６３】
また、ＨＤＴＶデコーダ５０２は、ＨＤＴＶ映像デコード部５２１と、映像出力タイミング生成部５２２と、ＨＤＴＶ音声デコード部５２３と、音声出力タイミング生成部５２４と、から構成されている。ワンセグデコーダ５０３は、ワンセグ映像デコード部５３１と、映像出力タイミング生成部５３２と、ワンセグ音声デコード部５３３と、音声出力タイミング生成部５３４と、から構成されている。【００６４】
ＴＳ分離部５０１は、放送局から放送されるディジタルテレビジョン放送を受信すると、ＨＤＴＶおよびワンセグの映像ＥＳ（エレメンタリストリーム）、音声ＥＳに分離して、それぞれの放送形式に応じて、ＨＤＴＶデコーダ５０２、ワンセグデコーダ５０３に出力する。【００６５】
また、ＴＳ分離部５０１は、映像ＥＳおよび音声ＥＳを出力する際、ディジタルテレビジョン放送の放送局から指定されたＨＤＴＶおよびワンセグにおける映像および音声の再生時刻を示すＰＴＳを映像ＥＳおよび音声ＥＳとともにＨＤＴＶデコーダ５０２、ワンセグデコーダ５０３に出力する。【００６６】
ＨＤＴＶデコーダ５０２は、ＴＳ分離部５０１から出力されるＨＤＴＶの映像ＥＳをＨＤＴＶ映像デコード部５２１によってデコードする。また、ＨＤＴＶデコーダ５０２は、ＴＳ分離部５０１から出力される音声ＥＳをＨＤＴＶ音声デコード部５２３によってデコードする。【００６７】
そして、ＨＤＴＶデコーダ５０２は、ＨＤＴＶ映像デコード部５２１によってデコードされた映像を出力する映像出力タイミングを映像出力タイミング生成部５２２によって生成する。また、ＨＤＴＶデコーダ５０２は、ＨＤＴＶ音声デコード部５２３によってデコードされた音声を出力する音声出力タイミングを音声出力タイミング生成部５２４によって生成する。【００６８】
具体的には、たとえば、映像出力タイミング生成部５２２は、放送局から指定されたＨＤＴＶにおける映像のＰＴＳと、後述するＰＴＳコントローラ部５１０から出力されるＰＴＳのオフセット値とに基づいて映像出力タイミングを生成する。より具体的には、たとえば、映像出力タイミング生成部５２２は、放送局から指定されたＨＤＴＶにおける映像のＰＴＳにＰＴＳコントローラ部５１０から出力されるＰＴＳのオフセット値を加算して映像出力タイミングを生成する。【００６９】
また、音声出力タイミング生成部５２４は、たとえば、放送局から指定されたＨＤＴＶにおける音声のＰＴＳと、後述するＰＴＳコントローラ部５１０から出力されるＰＴＳのオフセット値とに基づいて音声出力のタイミングを生成する。より具体的には、たとえば、音声出力タイミング生成部５２４は、放送局から指定されたＨＤＴＶにおける音声のＰＴＳにＰＴＳコントローラ部５１０から出力されるＰＴＳのオフセット値を加算して音声出力タイミングを生成する。【００７０】
そして、ＨＤＴＶデコーダ５０２は、デコードされた映像および映像出力タイミングを映像選択部５０４へ出力し、デコードされた音声および音声出力タイミングを音声選択部５０６へ出力する。【００７１】
ワンセグデコーダ５０３は、ＴＳ分離部５０１から出力されるワンセグの映像ＥＳをワンセグ映像デコード部５３１によってデコードする。また、ワンセグデコーダ５０３は、ＴＳ分離部５０１から出力される音声ＥＳをワンセグ音声デコード部５３３によってデコードする。【００７２】
そして、ワンセグデコーダ５０３は、ワンセグ映像デコード部５３１によってデコードされた映像を出力する映像出力タイミングを映像出力タイミング生成部５３２によって生成する。また、ワンセグデコーダ５０３は、ワンセグ音声デコード部５３３によってデコードされた音声を出力する音声出力タイミングを音声出力タイミング生成部５３４によって生成する。【００７３】
具体的には、たとえば、映像出力タイミング生成部５３２は、放送局から指定されたワンセグにおける映像のＰＴＳに基づいて映像出力タイミングを生成する。【００７４】
また、音声出力タイミング生成部５３４は、たとえば、放送局から指定されたワンセグにおける音声のＰＴＳに基づいて音声出力タイミングを生成する。【００７５】
そして、ワンセグデコーダ５０３は、デコードされた映像および映像出力タイミングを映像選択部５０４へ出力し、デコードされた音声および音声出力タイミングを音声選択部５０６へ出力する。【００７６】
映像選択部５０４は、ＨＤＴＶデコーダ５０２から出力される映像、ワンセグデコーダ５０３から出力される映像のいずれか一方を選択して映像出力マネージャ５０５へ出力する。具体的には、たとえば、映像選択部５０４は、後述する切替コントローラ部５１１から出力される切替指示に応じて、ＨＤＴＶの映像を出力するか、ワンセグの映像を出力するかを選択し、映像出力タイミングとともに映像出力マネージャ５０５へ出力することとなる。【００７７】
音声選択部５０６は、ＨＤＴＶデコーダ５０２から出力される音声、ワンセグデコーダ５０３から出力される音声のいずれか一方を選択して音声出力マネージャ５０７へ出力する。具体的には、たとえば、音声選択部５０６は、後述する切替コントローラ部５１１から出力される切替指示に応じて、ＨＤＴＶの音声を出力するか、ワンセグの音声を出力するかを選択し、音声出力タイミングとともに音声出力マネージャ５０７へ出力することとなる。【００７８】
映像出力マネージャ５０５は、映像選択部５０４から出力された映像を、映像の映像出力タイミングにあわせて図示しない表示出力部へ出力する。表示出力部は、たとえば、図３に示したディスプレイ３１２などである。【００７９】
音声出力マネージャ５０７は、音声選択部５０６から出力された音声を、音声の音声出力タイミングにあわせて図示しない音声出力部へ出力する。音声出力部は、たとえば、図３に示したスピーカ３０９などである。【００８０】
サイマル判定部５０８は、放送局から放送されるディジタルテレビジョン放送がサイマル放送であるか否かを判定する。具体的には、たとえば、サイマル判定部５０８は、図示しない入力部から入力される利用者が選局した番組がＨＤＴＶと、ワンセグとのサイマル放送であるか否かを判定する。また、サイマル判定部５０８は、利用者がＨＤＴＶの選局をすると、同一の番組がワンセグによってサイマル放送されているかを判定する構成でもよい。【００８１】
より具体的には、たとえば、サイマル判定部５０８は、ディジタルテレビジョン放送の受信波に含まれるＥＰＧ（電子番組表）情報を用いて判定することとしてもよい。【００８２】
ＨＤＴＶ−ワンセグオフセット検出部５０９は、サイマル放送によって放送されているＨＤＴＶとワンセグとの映像および音声（以下、「映像音声」ともいう）のずれ分（ＰＴＳＯＦＳ＿ＯＲＧ）を検出する。具体的には、ＨＤＴＶとワンセグの音声同士、もしくは映像同士にて時間軸方向にずらしながら相関性を検出し、相関性が高く取れた時間差をオフセット時間としてもよい。【００８３】
また、ＨＤＴＶ−ワンセグオフセット検出部５０９は、また、ＨＤＴＶ−ワンセグオフセット検出部５０９は、たとえば、番組をサイマル放送によって放送する放送局ごとに設定されたテーブルが記録された図示しないメモリなどから読み出すことによってＰＴＳＯＦＳ＿ＯＲＧを検出する構成でもよい。【００８４】
ＰＴＳコントローラ部５１０は、ＨＤＴＶ−ワンセグオフセット検出部５０９によって検出されたＰＴＳＯＦＳ＿ＯＲＧに基づいて、ＨＤＴＶのオフセット値（ＰＴＳＯＦＳ＿ＨＤ）を設定する。【００８５】
具体的には、たとえば、ＰＴＳコントローラ部５１０は、ＰＴＳＯＦＳ＿ＨＤがＰＴＳＯＦＳ＿ＯＲＧとなるまで少しずつＰＴＳＯＦＳ＿ＨＤを増加させて、ＨＤＴＶデコーダ５０２から出力されるＨＤＴＶの映像出力タイミングと音声出力タイミングを制御することとなる。【００８６】
より具体的には、たとえば、ＰＴＳコントローラ部５１０は、ＨＤＴＶの選局があった場合、ＰＴＳＯＦＳ＿ＨＤを０に設定して、徐々に映像出力タイミングと音声出力タイミングをずらす構成でもよい。このようにすれば、ＨＤＴＶとワンセグとのずれを待たなくても、ＨＤＴＶの選局時に迅速に映像音声を出力することができる。【００８７】
また、ここでは、ＰＴＳＯＦＳ＿ＨＤを０に設定して徐々に映像出力タイミングと音声出力タイミングをずらすこととしたが、ＰＴＳＯＦＳ＿ＨＤは、受信機（たとえば、ナビゲーション装置３００）に応じて、一律の値（たとえば、数百ｍｓｅｃ程度）が付加される構成でもよい。具体的には、たとえば、ＨＤＴＶとワンセグとの映像音声を受信する受信機の復号化処理などの性能に応じて一律の値を付加してオフセット値を設定することとなる。【００８８】
ＰＴＳＯＦＳ＿ＨＤを少しずつ増加させた映像音声の出力は、たとえば、映像および音声を引き延ばすこととしてもよい。また、映像音声の出力は、たとえば、音声のない映像の一部を引き延ばしたりすることとしてもよい。音声のない映像を引き延ばすことによって、音声の再生時間を制御する処理をおこなわなくても、効率的にＨＤＴＶとワンセグを同期させることができる。【００８９】
ＰＴＳＯＦＳ＿ＨＤを少しずつ増加させる割合は、たとえば、ＨＤＴＶの映像音声の出力時に、利用者に違和感を与えない程度であることが望ましい。このように、ＰＴＳＯＦＳ＿ＨＤを少しずつ増加させて映像音声を出力することで、効率的かつ最適にＨＤＴＶとワンセグを同期させることができる。【００９０】
具体的には、たとえば、ＨＤＴＶとワンセグとのＰＴＳＯＦＳ＿ＯＲＧが１秒である場合、所定の再生速度制御時間（たとえば、６０秒）の間に、映像音声の出力を１秒のばすこととなる。すなわち、ＨＤＴＶで６０秒かけて出力する映像音声を６１秒で出力する構成となる。【００９１】
そして、ＰＴＳコントローラ部５１０は、ＰＴＳＯＦＳ＿ＨＤが所望の値になった後に、ＰＴＳＯＦＳ＿ＨＤを固定値として、他の選局があるまで固定値によって運用する。このようにすることで、他の選局の前にＨＤＴＶからワンセグへの切り替えがあった場合も、シームレスに映像音声を切り替えることができる。【００９２】
切替コントローラ部５１１は、利用者が選局した番組の放送形式の切り替えを制御する。具体的には、たとえば、切替コントローラ部５１１は、利用者の切替要求やＨＤＴＶ、ワンセグの受信状態の変化に応じた切替要求に基づいて、映像選択部５０４および音声選択部５０６に切替指示を出力する。【００９３】
なお、図５に示したナビゲーション装置３００が備えるＴＳ分離部５０１、ＨＤＴＶデコーダ５０２、ワンセグデコーダ５０３、映像選択部５０４、映像出力マネージャ５０５、音声選択部５０６、音声出力マネージャ５０７、サイマル判定部５０８、ＨＤＴＶ−ワンセグオフセット検出部５０９、ＰＴＳコントローラ部５１０、切替コントローラ部５１１は、たとえば、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００９４】
（映像音声出力の概要）
ここで、図６を用いて、本実施例にかかるナビゲーション装置３００における映像音声出力の概要について説明する。図６は、本実施例にかかるナビゲーション装置における映像音声出力の概要を示す説明図である。【００９５】
図６において、ナビゲーション装置３００によって出力される映像音声６００は、時間軸Ｔに沿った、映像音声フレーム６０１，６０２，６０３から構成されている。ＨＤＴＶおよびワンセグのサイマル放送によって放送されている番組についてＨＤＴＶの選局６１０があると、ＨＤＴＶのオフセット値（ＰＴＳＯＦＳ＿ＨＤ）に応じてＨＤＴＶの映像音声フレーム６０１を出力する。【００９６】
すなわち、選局６１０があった時点のＰＴＳＯＦＳ＿ＨＤが０である場合は、選局後速やかに映像音声出力がおこなわれることとなる。換言すれば、後述のように、ＨＤＴＶからワンセグへの切り替えがある場合でも、ＨＤＴＶとワンセグとの映像音声のずれ分（ＰＴＳＯＦＳ＿ＯＲＧ）の時間を待つことなく、ＨＤＴＶの映像音声フレーム６０１を出力ことができる。【００９７】
また、ＨＤＴＶ−ワンセグオフセット検出部５０９によって、選局された番組のＨＤＴＶとワンセグとの映像音声のずれ分（ＰＴＳＯＦＳ＿ＯＲＧ）を検出する。そして、ｔ０からｔ１までの再生速度制御時間をかけて、ＰＴＳＯＦＳ＿ＨＤを徐々に増加させて、映像音声出力が利用者に違和感のないようにスロー再生Ｇｓをおこなう。【００９８】
そして、ＰＴＳＯＦＳ＿ＨＤがＰＴＳＯＦＳ＿ＯＲＧ分のずれた後は、時間ｔ１からＨＤＴＶの通常再生Ｇｆとなる映像音声フレーム６０２が出力される。【００９９】
そして、時間ｔ２でＨＤＴＶからワンセグへの切替指示６２０を受け付けると、ワンセグの通常再生Ｇｏとなる映像音声フレーム６０３が出力されることとなる。このとき、ＨＤＴＶのＰＴＳとワンセグのＰＴＳは同期しているため、不連続のない（シームレス）の切り替えとなるため、利用者にとって快適な切り替えとなる。【０１００】
また、図６では説明を省略するが、ＨＤＴＶのスロー再生Ｇｓ中に切替指示６２０を受け付けた場合は、そのままワンセグの通常再生Ｇｏとなる映像音声フレーム６０３を出力することとなる。この場合であっても、ＨＤＴＶのスロー再生Ｇｓ中にＰＴＳＯＦＳ＿ＨＤを徐々に増加させた分だけ、ＨＤＴＶとワンセグとのずれが減少しているため、不連続の少ない切り替えが可能となる。【０１０１】
そして、時間ｔ３でワンセグからＨＤＴＶへの切替指示６３０を受け付けると、ＨＤＴＶの通常再生Ｇｆとなる映像音声フレーム６０２が出力されることとなる。このとき、ＨＤＴＶのＰＴＳとワンセグのＰＴＳはすでに同期しているため、不連続のない（シームレス）の切り替えとなる。【０１０２】
このように、ＨＤＴＶの選局６１０があった時点で、ＨＤＴＶとワンセグとの映像音声のずれ分（ＰＴＳＯＦＳ＿ＯＲＧ）の時間をあわせることなく、ＨＤＴＶを再生しながら徐々にＨＤＴＶのＰＴＳとワンセグのＰＴＳを同期させる。【０１０３】
したがって、ＨＤＴＶの選局６１０の際、迅速にコンテンツを再生することができ、ＨＤＴＶからワンセグへの切替時には、利用者にＨＤＴＶとワンセグとの映像音声のずれ分（ＰＴＳＯＦＳ＿ＯＲＧ）を意識させることなく、コンテンツの連続性を維持することができる。【０１０４】
（ナビゲーション装置３００の処理の内容）
つぎに、図７を用いて、本実施例にかかるナビゲーション装置３００の処理の内容について説明する。図７は、本実施例にかかるナビゲーション装置の処理の内容を示すフローチャートである。図７のフローチャートにおいて、まず、入力デバイス３１０によって、ＨＤＴＶの選局を受け付けたか否かを判断する（ステップＳ７０１）。具体的には、たとえば、ＨＤＴＶの選局は、利用者がディスプレイ３１２に表示された選局画面から選択する構成でもよい。【０１０５】
ステップＳ７０１において、ＨＤＴＶの選局を受け付けるのを待って、受け付けた場合（ステップＳ７０１：Ｙｅｓ）は、ＣＰＵ３０１によって、ステップＳ７０１において選局されたＨＤＴＶがサイマル放送か否かを判定する（ステップＳ７０２）。具体的には、たとえば、サイマル放送の判定は、図５に示したサイマル判定部５０８によって、ＨＤＴＶの番組と同一の番組がワンセグによってサイマル放送されているか否かを判定する。【０１０６】
ステップＳ７０２において、サイマル放送でないと判定された場合（ステップＳ７０２：Ｎｏ）は、そのまま一連の処理を終了する。【０１０７】
また、ステップＳ７０２において、サイマル放送であると判定された場合（ステップＳ７０２：Ｙｅｓ）は、ＣＰＵ３０１によって、サイマル放送によって放送されているＨＤＴＶとワンセグとの映像音声のずれ分（ＰＴＳＯＦＳ＿ＯＲＧ）を取得する（ステップＳ７０３）。具体的には、たとえば、ＰＴＳＯＦＳ＿ＯＲＧの取得は、図５に示したＨＤＴＶ−ワンセグオフセット検出部５０９によってＰＴＳＯＦＳ＿ＯＲＧを検出する。【０１０８】
つぎに、ＣＰＵ３０１によって、ステップＳ７０１において選局を受け付けたＨＤＴＶのＰＴＳのオフセット値を０に設定（ＰＴＳＯＦＳ＿ＨＤ＝０）する（ステップＳ７０４）。具体的には、たとえば、ＰＴＳＯＦＳ＿ＨＤの設定は、図５に示したＰＴＳコントローラ部５１０によって設定する。【０１０９】
なお、図７のフローチャートでは、ＰＴＳＯＦＳ＿ＨＤを０に設定することとしたが、０に限ることはなく、ＰＴＳＯＦＳ＿ＨＤは、ナビゲーション装置３００やその他の受信機の属性（たとえば、該ナビゲーション装置３００の仕様や性能など）に応じた値である。【０１１０】
つぎに、スピーカ３０９やディスプレイ３１２によって、ステップＳ７０４において設定されたＰＴＳＯＦＳ＿ＨＤにしたがって、ＨＤＴＶをスロー再生する（ステップＳ７０５）。具体的には、たとえば、ＨＤＴＶのスロー再生は、図５に示した映像出力マネージャ５０５や音声出力マネージャ５０７によって、ＨＤＴＶデコーダ５０２から出力されるＨＤＴＶの映像出力タイミングと音声出力タイミングに応じて再生する。【０１１１】
そして、ＣＰＵ３０１によって、ステップＳ７０４において設定されたＰＴＳＯＦＳ＿ＨＤを所定量ずつ増加（ＰＴＳＯＦＳ＿ＨＤ＋＝Δ）させる（ステップＳ７０６）。具体的には、たとえば、ＰＴＳＯＦＳ＿ＨＤの増加は、図５に示したＰＴＳコントローラ部５１０によって、所定の再生速度制御時間の間に徐々に映像出力タイミングと音声出力タイミングをずらすことによって、ステップＳ７０５におけるスロー再生を継続する。【０１１２】
つぎに、入力デバイス３１０によって、あらたな選局があるか否かを判断し（ステップＳ７０７）、選局があった場合（ステップＳ７０７：Ｙｅｓ）は、そのまま一連の処理を終了する。【０１１３】
また、ステップＳ７０７において、あらたな選局がなかった場合（ステップＳ７０７：Ｎｏ）は、入力デバイス３１０によって、ワンセグへの切替指示を受け付けたか否かを判断する（ステップＳ７０８）。ワンセグへの切替指示は、たとえば、図５に示した切替コントローラ部５１１によって入力を受け付けることとしてもよく、利用者の切替要求やＨＤＴＶ、ワンセグの受信状態の変化に応じた切替要求に基づいておこなう。【０１１４】
ステップＳ７０８において、ワンセグへの切替指示を受け付けた場合（ステップＳ７０８：Ｙｅｓ）は、ＣＰＵ３０１によって、ＰＴＳＯＦＳ＿ＨＤをＰＴＳＯＦＳ＿ＯＲＧに設定する（ステップＳ７０９）。具体的には、たとえば、ＰＴＳＯＦＳ＿ＨＤの設定は、図５に示したＰＴＳコントローラ部５１０によっておこなう。【０１１５】
つぎに、スピーカ３０９やディスプレイ３１２によって、ステップＳ７０９において設定されたＰＴＳＯＦＳ＿ＨＤにしたがって、ワンセグを通常再生する（ステップＳ７１０）。具体的には、たとえば、ワンセグの通常再生は、図５に示した切替コントローラ部５１１の制御にしたがって、映像選択部５０４および音声選択部５０６によってワンセグの映像および音声を選択し、映像出力マネージャ５０５や音声出力マネージャ５０７によって、ワンセグデコーダ５０３から出力されるワンセグの映像出力タイミングと音声出力タイミングに応じて再生する。【０１１６】
そして、入力デバイス３１０によって、あらたな選局があるか否かを判断し（ステップＳ７１１）、選局があった場合（ステップＳ７１１：Ｙｅｓ）は、そのまま一連の処理を終了する。【０１１７】
また、ステップＳ７１１において、あらたな選局がなかった場合（ステップＳ７１１：Ｎｏ）は、入力デバイス３１０によって、ＨＤＴＶへの切替指示を受け付けたか否かを判断する（ステップＳ７１２）。ＨＤＴＶへの切替指示は、たとえば、図５に示した切替コントローラ部５１１によって入力を受け付けることとしてもよく、利用者の切替要求やＨＤＴＶ、ワンセグの受信状態の変化に応じた切替要求に基づいておこなう。【０１１８】
ステップＳ７１２において、ＨＤＴＶへの切替指示を受け付けない場合（ステップＳ７１２：Ｎｏ）は、ステップＳ７１０へ戻って処理を繰り返す。【０１１９】
また、ステップＳ７１２において、ＨＤＴＶへの切替指示を受け付けた場合（ステップＳ７１２：Ｙｅｓ）は、ステップＳ７１４へ移行して、スピーカ３０９やディスプレイ３１２によって、ＨＤＴＶを通常再生する（ステップＳ７１４）。【０１２０】
具体的には、たとえば、ＨＤＴＶの通常再生は、切替コントローラ部５１１の制御にしたがって、映像選択部５０４および音声選択部５０６によってＨＤＴＶの映像および音声を選択し、映像出力マネージャ５０５や音声出力マネージャ５０７によって、ＨＤＴＶデコーダ５０２から出力されるＨＤＴＶの映像出力タイミングと音声出力タイミングに応じて再生する。【０１２１】
また、ステップＳ７０８において、ワンセグへの切替指示を受け付けなかった場合（ステップＳ７０８：Ｎｏ）は、ＣＰＵ３０１によって、ステップＳ７０６において増加させているＰＴＳＯＦＳ＿ＨＤがステップＳ７０３において取得されたＰＴＳＯＦＳ＿ＯＲＧと同じになった（ＰＴＳＯＦＳ＿ＨＤ＝＝ＰＴＳＯＦＳ＿ＯＲＧ）か否かを判断する（ステップＳ７１３）。具体的には、たとえば、ＰＴＳＯＦＳ＿ＨＤがＰＴＳＯＦＳ＿ＯＲＧと同じになったか否かの判断は、図５に示したＰＴＳコントローラ部５１０によっておこなう。【０１２２】
ステップＳ７１３において、ＰＴＳＯＦＳ＿ＨＤがＰＴＳＯＦＳ＿ＯＲＧと同じになっていない場合（ステップＳ７１３：Ｎｏ）は、ステップＳ７０６へ戻って処理を繰り返す。【０１２３】
また、ステップＳ７１３においてＰＴＳＯＦＳ＿ＨＤがＰＴＳＯＦＳ＿ＯＲＧと同じになった場合（ステップＳ７１３：Ｙｅｓ）は、スピーカ３０９やディスプレイ３１２によって、ＨＤＴＶを通常再生する（ステップＳ７１４）。【０１２４】
つぎに、入力デバイス３１０によって、あらたな選局があるか否かを判断し（ステップＳ７１５）、選局があった場合（ステップＳ７１５：Ｙｅｓ）は、そのまま一連の処理を終了する。【０１２５】
また、ステップＳ７１５において、あらたな選局がなかった場合（ステップＳ７１５：Ｎｏ）は、入力デバイス３１０によって、ワンセグへの切替指示を受け付けたか否かを判断する（ステップＳ７１６）。【０１２６】
ステップＳ７１６において、ワンセグへの切替指示を受け付けた場合（ステップＳ７１６：Ｙｅｓ）は、ステップＳ７１０へ移行して、スピーカ３０９やディスプレイ３１２によって、ワンセグを通常再生する（ステップＳ７１０）。【０１２７】
また、ステップＳ７１６において、ワンセグへの切替指示を受け付けない場合（ステップＳ７１６：Ｎｏ）は、ステップＳ７１４へ戻って処理を繰り返す。【０１２８】
なお、図７のフローチャートでは、ステップＳ７０１において、ＨＤＴＶの選局を受け付けた場合に、ステップＳ７０２へ移行してサイマル放送か否かを判定し、以降（ステップＳ７０３〜ステップＳ７１６）の処理をおこなうこととしたが、ＨＤＴＶの選局を受け付ける代わりに、ディジタルテレビジョン放送が休止から復帰した場合にステップＳ７０２へ移行する構成でもよい。【０１２９】
また、ＨＤＴＶの選局を受け付ける代わりに、ナビゲーション装置３００の電源がＯＦＦからＯＮに切り替わった際に受信されるディジタルテレビジョン放送についてステップＳ７０２へ移行する構成でもよい。さらに、サイマル放送の停止および開始がある場合は、ＨＤＴＶの選局を受け付ける代わりに、サイマル放送が開始されたら、ステップＳ７０３へ移行する構成でもよい。【０１３０】
また、ナビゲーション装置３００が、ＨＤＴＶおよびワンセグの受信状態に応じて自動的に切り替わるモードと、自動的に切り替わらないモードとを備えている場合、ディジタルテレビジョン放送による番組の視聴中に自動的に切り替わるモードを選択した時点で、ステップＳ７０２へ移行する構成でもよい。【０１３１】
このように、ＨＤＴＶの選局の代わりに様々な事象によって本実施例におけるナビゲーション装置３００を適用することで、本発明の汎用性の向上を図ることができる。【０１３２】
また、本実施例では、ディジタルテレビジョン放送におけるＨＤＴＶおよびワンセグのサイマル放送について説明したが、ディジタルテレビジョン放送におけるその他放送形式などにおける放送形式に適用することとしてもよい。このように様々な放送形式に適用することで汎用性および利便性の向上を図ることができる。【０１３３】
以上説明したように、本実施例にかかるナビゲーション装置によれば、ディジタルテレビジョン放送において、迅速にコンテンツの映像音声の出力ができ、かつ、サイマル放送によるＨＤＴＶとワンセグの切り替えがある場合であっても、利用者に違和感を与えることなく連続的に切り替えることができる。したがって、利用者は快適なコンテンツの提供を受けることができる。【０１３４】
すなわち、サイマル放送によるＨＤＴＶとワンセグのうち、再生時刻の早いＨＤＴＶを再生することで、利用者に待ち時間を与えることなく迅速にコンテンツを提供することができる。そして、ＨＤＴＶを再生しながら徐々に再生速度を制御してＨＤＴＶおよびワンセグの再生時刻を同期させることができるため、再生速度を制御中に利用者へ違和感を与えることなくコンテンツを再生できる。また、切替時には、ＨＤＴＶとワンセグとの再生時刻を同期させているため、利用者に、連続性を維持したコンテンツの提供を図ることができる。【０１３５】
なお、本実施の形態で説明した再生方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008117448.tif 000003
【図２】
2008117448.tif 000004
【図３】
2008117448.tif 000005
【図４】
2008117448.tif 000006
【図５】
2008117448.tif 000007
【図６】
2008117448.tif 000008
【図７】
2008117448.tif 000009
【国際調査報告】
2008117448.tif 000010
2008117448.tif 000011
2008117448.tif 000012
2008117448.tif 000013